【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
プレス成形品の成形条件を数値解析して、プレス成形品の成形データを算出するプレス成形解析ステップと、
プレス成形品の成形データのうち、プレス成形品の少なくとも一部の領域を選定し、当該選定領域の形状と、当該選定領域の応力分布との少なくとも１つを所定のデータで置換した置換成形データを算出する置換成形データ生成ステップと、
前記置換成形データを数値解析して、スプリングバック量を算出するスプリングバック量算出ステップと、
前記スプリングバック量が、所定値以下となるか判断するステップと、
を有し、前記スプリングバック量が所定値を超える場合、前記置換成形データ生成ステップは、所定値以下のスプリングバック量を与える１又は複数の領域の形状と、当該選定領域の応力分布との少なくとも１つを、その置換した所定のデータで置換し、更に前記選定領域の位置又は数を変えて、前記置換成形データ生成ステップ及び前記スプリングバック量算出ステップを繰り返すことを特徴とするスプリングバック対策位置特定方法。
【請求項２】
前記選定領域の位置又は数を変えて、前記置換成形データ生成ステップ及び前記スプリングバック量算出ステップを繰り返す請求項１に記載のスプリングバック対策位置特定方法。
【請求項３】
前記プレス成形品の成形データを、所定の領域で分割するステップをさらに有し、
前記置換成形データ生成ステップは、前記所定の領域で分割した領域の全てについて、前記置換成形データを算出する請求項１又は２に記載のスプリングバック対策位置特定方法。
【請求項４】
前記所定のデータは、前記選択領域毎に、形状および応力分布の少なくとも１つが異なる請求項１〜３のいずれか一項に記載のスプリングバック対策位置特定方法。
【請求項５】
プレス成形品の成形条件を数値解析して、プレス成形品の成形データを算出するプレス成形解析部と、
プレス成形品の成形データのうち、プレス成形品の少なくとも一部の領域を選定し、当該選定領域の形状と、当該選定領域の応力分布との少なくとも１つを所定のデータで置換した置換成形データを生成する置換成形データ生成部と、
前記置換成形データを数値解析して、スプリングバック量を算出するスプリングバック解析部と、
を有し、前記置換成形データ生成部は、前記スプリングバック量が、所定値以下となるかを判断し、
前記スプリングバック量が所定値を超える場合、前記置換成形データ生成部は、所定値以下のスプリングバック量を与える１又は複数の領域の形状と、当該選定領域の応力分布との少なくとも１つを、その置換した所定のデータで置換し、更に前記選定領域の位置又は数を変えて、前記置換成形データ生成部は、前記置換成形データを算出し、及び、前記スプリングバック解析部は、スプリングバック量算出を繰り返すことを特徴とするスプリングバック対策位置特定装置。
【請求項６】
前記選定領域の位置又は数を変えて、前記置換成形データ生成部は、前記置換成形データを算出し、及び、前記スプリングバック解析部は、スプリングバック量算出を繰り返す請求項５に記載のスプリングバック対策位置特定装置。
【請求項７】
前記置換成形データ生成部は、前記プレス成形品の成形データを、所定の領域で分割し、かつ、前記所定の領域で分割した領域の全てについて、前記置換成形データを生成する請求項５又は６に記載のスプリングバック対策位置特定装置。
【請求項８】
前記所定のデータは、前記選択領域毎に、形状および応力分布の少なくとも１つが異なる請求項５〜７のいずれか一項に記載のスプリングバック対策位置特定装置。
【請求項９】
プレス成形品の成形条件を数値解析して、プレス成形品の成形データを算出するプレス成形解析手順と、
プレス成形品の成形データのうち、プレス成形品の少なくとも一部の領域を選定し、当該選定領域の形状と、当該選定領域の応力分布との少なくとも１つを所定のデータで置換した置換成形データを算出する置換成形データ生成手順と、
前記置換成形データを数値解析して、スプリングバック量を算出するスプリングバック量算出手順と、
前記スプリングバック量が、所定値以下となるか判断する手順と、
前記スプリングバック量が所定値を超える場合、前記置換成形データ生成手順は、所定値以下のスプリングバック量を与える１又は複数の領域の形状と、当該選定領域の応力分布との少なくとも１つを、その置換した所定のデータで置換し、更に前記選定領域の位置又は数を変えて、前記置換成形データ生成手順及び前記スプリングバック量算出手順を繰り返すことをコンピュータに実行させるスプリングバック対策位置特定プログラム。
【請求項１０】
前記選定領域の位置と数を変えて、前記置換成形データ生成手順及び前記スプリングバック量算出手順を繰り返す請求項８に記載のスプリングバック対策位置特定プログラム。
【請求項１１】
前記プレス成形品の成形データを、所定の領域で分割する手順をさらに有し、
前記置換成形データ生成手順は、前記所定の領域で分割した領域の全てについて、前記置換成形データを生成する請求項９又は１０に記載のスプリングバック対策位置特定プログラム。
【請求項１２】
前記所定のデータは、前記選択領域毎に、形状および応力分布の少なくとも１つが異なる請求項９〜１１のいずれか一項に記載のスプリングバック対策位置特定プログラム。
【請求項１３】
プレス成形の成形条件を数値解析してプレス成形品の成形データを算出するプレス成形解析プログラム、及び、該成形データを数値解析してスプリングバック量を算出するスプリングバック解析プログラムと、データ入出力が可能であるスプリングバック対策位置特定プログラムであって、
前記プレス成形解析プログラムから、成形データを取得する手順と、
プレス成形品の成形データのうち、プレス成形品の少なくとも一部の領域を選定し、当該選定領域の形状、又は当該選定領域の形状及び応力分布を所定のデータで置換した置換成形データを算出する置換成形データ生成手順と、
前記スプリングバック解析プログラムに、前記置換成形データを出力する手順、
をコンピュータに実行させることを特徴とするスプリングバック対策位置特定プログラム。
【請求項１４】
請求項９〜１３の何れか１項に記載のプログラムを記録したことを特徴とするコンピュータ読み取り可能な記録媒体。
【手続補正２】
【補正対象書類名】明細書
【補正対象項目名】００１４
【補正方法】変更
【補正の内容】
【００１４】
以上の課題を解決するために、本発明に係るスプリングバック対策位置特定方法(プログラム：以下、カッコ内はプログラムの発明に対応する)は、プレス成形品の成形条件を数値解析して、プレス成形品の成形データを算出するプレス成形解析ステップ(手順)と、プレス成形品の成形データのうち、プレス成形品の少なくとも一部の領域を選定し、当該選定領域の形状と異なる形状に置換した、及び／又は、当該選定領域の応力分布と異なる応力分布で置換した置換成形データを生成する置換成形データ生成ステップ(手順)と、置換成形データを数値解析して、スプリングバック量を算出するスプリングバック量算出ステップ(手順)と、スプリングバック量が、所定値以下となるか判断するステップ（手順）とを有し、スプリングバック量が所定値を超える場合、置換成形データ生成ステップ（手順）は、所定値以下のスプリングバック量を与える１又は複数の領域の形状と、当該選定領域の応力分布との少なくとも１つを、その置換した所定のデータで置換し、更に選定領域の位置又は数を変えて、前記置換成形データ生成ステップ（手順）及び前記スプリングバック量算出ステップ（手順）を繰り返すことを有する。
【手続補正３】
【補正対象書類名】明細書
【補正対象項目名】００１５
【補正方法】変更
【補正の内容】
【００１５】
上記選定領域の位置と数を変えて、置換成形データ生成ステップ及びスプリングバック量算出ステップ(手順)を繰り返しても良い。
【手続補正４】
【補正対象書類名】明細書
【補正対象項目名】００１７
【補正方法】変更
【補正の内容】
【００１７】
さらに、本発明に係るスプリングバック対策位置特定装置は、プレス成形品の成形条件を数値解析して、プレス成形品の成形データを算出するプレス成形解析部と、プレス成形品の成形データのうち、プレス成形品の少なくとも一部の領域を選定し、当該選定領域の形状と、当該選定領域の応力分布との少なくとも１つを所定のデータで置換した置換成形データを生成する置換成形データ生成部と、置換成形データを数値解析して、スプリングバック量を算出するスプリングバック解析部とを有し、置換成形データ生成部は、スプリングバック量が、所定値以下となるかを判断し、スプリングバック量が所定値を超える場合、置換成形データ生成部は、所定値以下のスプリングバック量を与える１又は複数の領域の形状と、当該選定領域の応力分布との少なくとも１つを、その置換した所定のデータで置換し、更に前記選定領域の位置又は数を変えて、置換成形データ生成部は、前記置換成形データを算出し、及び、前記スプリングバック解析部は、スプリングバック量算出を繰り返す。
【手続補正５】
【補正対象書類名】明細書
【補正対象項目名】００１９
【補正方法】変更
【補正の内容】
【００１９】
置換成形データ生成部は、プレス成形品の成形データを、所定の領域で分割し、かつ、所定の領域で分割した領域の全てについて、置換成形データを算出しても良い。また、上記所定のデータは、選択領域毎に、形状および応力分布の少なくとも１つが異なっても良い。
本発明のプログラムは、上記に説明したプログラムの他に、プレス成形の成形条件を数値解析してプレス成形品の成形データを算出するプレス成形解析プログラム、及び、該成形データを数値解析してスプリングバック量を算出するスプリングバック解析プログラムは市販のプログラムを使用し、これらプレス成形解析プログラム及びスプリングバック解析プログラムと、データ入出力が可能であるスプリングバック対策位置特定プログラムであって、プレス成形解析プログラムから、成形データを取得する手順と、プレス成形品の成形データのうち、プレス成形品の少なくとも一部の領域を選定し、当該選定領域の形状、又は当該選定領域の形状及び応力分布を所定のデータで置換した置換成形データを算出する置換成形データ生成手順と、前記スプリングバック解析プログラムに、前記置換成形データを出力する手順をコンピュータに実行させるものでも良い。市販のスプリングバック解析プログラムは、本発明のプログラムから出力された置換成形データに基づいてスプリングバック量を算出する。
【手続補正６】
【補正対象書類名】明細書
【補正対象項目名】００２２
【補正方法】変更
【補正の内容】
【００２２】
図３は、本発明の一部の一実施形態によるスプリングバック対策位置特定装置の機能構成図を示す。
スプリングバック対策位置特定装置１０Ａは、プレス成形解析部１１、スプリングバック解析部１２、置換成形データ生成部１４、ファイル格納部１６、成形条件入力部１８、及びスプリングバック量出力画面１９を有する。
【手続補正７】
【補正対象書類名】明細書
【補正対象項目名】００６５
【補正方法】変更
【補正の内容】
【００６５】
【図１】従来のスプリングバックへの対応を示す成形部材の断面模式図である。
【図２】スプリングバックによる変形の発生原因となる部位を探る従来の方法を例示する斜視図である。
【図３】本発明の一部の一実施形態によるスプリングバック対策位置特定装置の機能構成図を示す。
【図４】本発明の一実施形態によるスプリングバック発生部位特定処理のフローチャートである。
【図５】本発明の一実施形態によるスプリングバック対策位置特定装置のハードウェア構成図である。
【図６】本発明の実施例によるスプリングバック解析の対象となるハット型断面形状部品を示す図である。
【図７】本発明の実施例による置換するビードと応力分布のデータテーブルを示す図である。
【図８】本発明の実施例による被加工体の領域分割を示す図である。
【図９】本発明の実施例による被加工体の指定領域全てに形状及び応力を配置した図である。
【図１０】本発明の実施例による断面位置とねじれ量を定義した図である。
【図１１】本発明の実施例による被加工体の指定領域にビード及び領域を配置した図である。
【図１２】本発明の実施例による被加工体の指定領域にビード及び領域を配置した図である。
【図１３】本発明の実施例による最もスプリングバック量が小さい１つのビード等を配置した図である。
【図１４】本発明の実施例による最もスプリングバック量が小さい１つのビード等の配置に２つめのビード等を配置した図である。
【図１５】本発明の実施例による最もスプリングバック量が小さい１つのビード等の配置に２つめのビード等を配置した図である。
【図１６】本発明の実施例による被加工体の指定領域にｎ回ビード等を配置した図である。
【図１７】本発明の実施例による被加工体の指定領域に実ビードを配置した図である。